【手続補正書】
【提出日】平成26年5月29日(2014.5.29)
【手続補正１】
【補正対象書類名】特許請求の範囲
【補正対象項目名】全文
【補正方法】変更
【補正の内容】
【特許請求の範囲】
【請求項１】
接続されているルータのMACアドレス、および自身の個体識別ＩＤを取得する取得部と、
前記取得部により取得された前記MACアドレスおよび前記個体識別ＩＤをサーバに送信し、登録させる通信部と
を備える情報処理装置。
【請求項２】
前記取得部は、前記サーバに未登録の状態であり、且つ前記ルータの通信範囲内にある場合、前記ルータの通信範囲内にある既登録の他の情報処理装置からセッションキーをさらに取得し、
前記通信部は、前記MACアドレス、前記個体識別ＩＤ、および前記セッションキーを前記サーバに送信する
請求項１に記載の情報処理装置。
【請求項３】
前記セッションキーを生成する生成部をさらに備え、
前記生成部は、前記サーバに既登録の状態である場合、前記ルータの通信範囲内にある未登録の前記他の情報処理装置の要求に応じて、前記セッションキーを生成し、
前記通信部は、未登録の前記他の情報処理装置に前記セッションキーを送信するとともに、前記サーバに前記MACアドレスおよび前記セッションキーを送信する
請求項２に記載の情報処理装置。
【請求項４】
前記取得部は、前記サーバに既登録の状態である場合、前記サーバから仮登録情報を取得し、
前記通信部は、前記取得部により取得された前記仮登録情報に含まれる前記ルータの通信範囲内にある前記他の情報処理装置の登録状態が仮登録である場合、ユーザの入力に基づいて、前記他の情報処理装置を本登録にするための情報、または仮登録を削除するための情報を前記サーバに送信する
請求項２または３に記載の情報処理装置。
【請求項５】
接続されているルータのMACアドレス、および自身の個体識別ＩＤを取得する取得ステップと、
前記取得ステップの処理により取得された前記MACアドレスおよび前記個体識別ＩＤをサーバに送信し、登録させる通信ステップと
を含む情報処理方法。
【請求項６】
コンピュータに、
接続されているルータのMACアドレス、および自身の個体識別ＩＤを取得する取得ステップと、
前記取得ステップの処理により取得された前記MACアドレスおよび前記個体識別ＩＤをサーバに送信し、登録させる通信ステップと
を実行させるためのプログラムが記録されている記録媒体。
【請求項７】
コンピュータに、
接続されているルータのMACアドレス、および自身の個体識別ＩＤを取得する取得ステップと、
前記取得ステップの処理により取得された前記MACアドレスおよび前記個体識別ＩＤをサーバに送信し、登録させる通信ステップと
を実行させるためのプログラム。
【請求項８】
ネットワーク機器から前記ネットワーク機器が接続されているルータのMACアドレス、および前記ネットワーク機器の個体識別ＩＤを取得する取得部と、
前記MACアドレスおよび前記個体識別ＩＤを対応付けたデータベースを生成するデータベース制御部と
を備え、
前記データベース制御部は、前記取得部により取得された前記MACアドレスが前記データベースに記録されている場合、前記MACアドレスが記録された前記データベースに前記MACアドレスと前記個体識別ＩＤを対応付けたレコードを記録する
情報処理装置。
【請求項９】
前記取得部は、既登録の前記ネットワーク機器から前記MACアドレスおよびセッションキーを取得するとともに、未登録の前記ネットワーク機器から前記MACアドレス、未登録の前記ネットワーク機器の前記個体識別ＩＤ、および前記セッションキーを取得し、
前記データベース制御部は、前記取得部により取得された既登録の前記ネットワーク機器および未登録の前記ネットワーク機器の前記MACアドレスおよび前記セッションキーが一致する場合、前記MACアドレスが記録された前記データベースに前記MACアドレスと未登録の前記ネットワーク機器の前記個体識別ＩＤを対応付けた前記レコードを記録する
請求項８に記載の情報処理装置。
【請求項１０】
前記データベース制御部は、前記取得部により取得された未登録の前記ネットワーク機器の前記個体識別ＩＤに対応する前記レコードの登録状態を仮登録に設定する
請求項８または９に記載の情報処理装置。
【請求項１１】
前記ネットワーク機器に情報を送信する通信部と、
前記データベースを検索する検索部と
をさらに備え、
前記検索部は、前記取得部により既登録の前記ネットワーク機器から前記MACアドレスおよび前記個体識別ＩＤが取得された場合、前記MACアドレスと前記個体識別ＩＤが対応付けられた前記レコードを含む前記データベースを検索し、
前記通信部は、前記検索部により検索された前記データベースに前記登録状態として仮登録が設定された前記レコードが存在する場合、前記レコードの前記個体識別ＩＤを仮登録情報として既登録の前記ネットワーク機器に送信し、
前記取得部は、既登録の前記ネットワーク機器から仮登録の前記ネットワーク機器を本登録にするための情報、または仮登録を削除するための情報を取得し、
前記データベース制御部は、前記取得部により取得された前記ネットワーク機器を本登録にするための情報、または仮登録を削除するための情報に基づいて、前記データベースを更新する
請求項１０に記載の情報処理装置。
【請求項１２】
前記データベース制御部は、前記取得部により取得された既登録の前記ネットワーク機器の前記MACアドレスおよび前記個体識別ＩＤの対応関係が、前記データベースに記録されている前記MACアドレスおよび前記個体識別ＩＤの対応関係と異なる場合、前記データベースに記録されている前記MACアドレスを、前記取得部により取得された前記MACアドレスに更新する
請求項８乃至１１のいずれかに記載の情報処理装置。
【請求項１３】
前記取得部は、前記ネットワーク機器からユーザＩＤをさらに取得し、
前記データベース制御部は、前記取得部により取得された前記MACアドレスおよび前記ユーザＩＤのうち、前記MACアドレスが前記データベースに記録されている場合、前記MACアドレスを含む前記データベースを削除するとともに、前記取得部により取得された前記MACアドレスと前記ユーザＩＤを対応付けた前記データベースを生成する
請求項８乃至１２のいずれかに記載の情報処理装置。
【請求項１４】
前記取得部は、前記ネットワーク機器からコンテンツＩＤおよび前記個体識別ＩＤを取得し、
前記検索部は、前記個体識別ＩＤに対応する前記ネットワーク機器の登録状態を検索し、
前記通信部は、前記検索部により検索された前記ネットワーク機器の登録状態が仮登録である場合、前記ネットワーク機器に提供する前記コンテンツＩＤに対応するコンテンツを制限する
請求項１１に記載の情報処理装置。
【請求項１５】
ネットワーク機器から前記ネットワーク機器が接続されているルータのMACアドレス、および前記ネットワーク機器の個体識別ＩＤを取得する取得ステップと、
前記MACアドレスと前記個体識別ＩＤを対応付けたデータベースを生成するデータベース制御ステップと
を含み、
前記データベース制御ステップの処理は、前記取得ステップの処理により取得された前記MACアドレスが前記データベースに記録されている場合、前記MACアドレスが記録された前記データベースに前記MACアドレスと前記個体識別ＩＤを対応付けたレコードを記録する
情報処理方法。
【請求項１６】
コンピュータに、
ネットワーク機器から前記ネットワーク機器が接続されているルータのMACアドレス、および前記ネットワーク機器の個体識別ＩＤを取得する取得ステップと、
前記MACアドレスと前記個体識別ＩＤを対応付けたデータベースを生成するデータベース制御ステップと
を実行させるプログラムであって、
前記データベース制御ステップの処理は、前記取得ステップの処理により取得された前記MACアドレスが前記データベースに記録されている場合、前記MACアドレスが記録された前記データベースに前記MACアドレスと前記個体識別ＩＤを対応付けたレコードを記録する
プログラムが記録されている記録媒体。
【請求項１７】
コンピュータに、
ネットワーク機器から前記ネットワーク機器が接続されているルータのMACアドレス、および前記ネットワーク機器の個体識別ＩＤを取得する取得ステップと、
前記MACアドレスと前記個体識別ＩＤを対応付けたデータベースを生成するデータベース制御ステップと
を実行させるプログラムであって、
前記データベース制御ステップの処理は、前記取得ステップの処理により取得された前記MACアドレスが前記データベースに記録されている場合、前記MACアドレスが記録された前記データベースに前記MACアドレスと前記個体識別ＩＤを対応付けたレコードを記録する
プログラム。
【請求項１８】
第１の情報処理装置と前記第１の情報処理装置を登録する第２の情報処理装置から構成される情報処理システムにおいて、
前記第１の情報処理装置は、
接続されているルータのMACアドレス、および自身の個体識別ＩＤを取得する第１の取得部と、
前記第１の取得部により取得された前記MACアドレスおよび前記個体識別ＩＤを前記第２の情報処理装置に送信し、登録させる通信部と
を備え、
前記第２の情報処理装置は、
前記第１の情報処理装置から前記第１の情報処理装置が接続されている前記ルータの前記MACアドレス、および前記第１の情報処理装置の前記個体識別ＩＤを取得する第２の取得部と、
前記MACアドレスと前記個体識別ＩＤを対応付けたデータベースを生成するデータベース制御部と
を備える情報処理システム。